(57)【要約】      （修正有）【課題】分離音に伴う騒音を少なくし、かつオペレータにとって負担の少ない追加投入の操作を可能にした紙幣結束処理整理装置を提供する。【解決手段】媒体の束の下から媒体を分離し、装置内部に取込む分離取込部１０を有する媒体処理装置において、上から媒体の束を押圧することによって分離取込部１０の分離動作を補助するバックアップ２と、バックアップ２を上下動可能に支持するカムリンク４−１、４−２と、カムリンク４−１、４−２をそれぞれ動作することにより、バックアップ２を最下位置と最上位置の間を移動させるカムフォロア６−１、６−２と、分離取込部１０を開閉可能に覆う取込部カバー１を有し、カムフォロア６−２は取込部カバー１の開閉に連動して動作する構造とした。【選択図】図１
2015103136.tif 000002
【特許請求の範囲】
【請求項１】
媒体束の下から媒体を分離し、装置内部に取込む分離取込部を有する媒体処理装置において、
前記媒体束の上から前記媒体束を押圧することによって前記分離取込部の分離動作を補助する分離補助機構と、
前記分離補助機構を上下動可能に支持する支持部材と、
前記支持部材をそれぞれ動作することにより、前記分離補助機構を最下位置と最上位置の間を移動させる移動部材と、
前記分離取込部を開閉可能に覆うカバー部を有し、
前記移動部材は前記カバー部の開閉に連動して動作する構造としたことを特徴とする媒体処理装置。
【請求項２】
前記カバー部を回転自在に支持する回転軸と、
前記回転軸の回転を前記移動部材に伝える伝達機構を有し、
前記カバー部の開動作によって、前記移動部材を連動して動作させ、前記分離補助機構を最下位置から最上位置へ移動させることを特徴とする請求項１記載の媒体処理装置。
【請求項３】
前記カバー部の閉動作では、前記分離補助機構を最上位置から自重で降下させることを特徴とする請求項２記載の媒体処理装置。
【請求項４】
前記回転軸と一体に設けられた大プーリを有し、
前記伝達機構は、前記大プーリの回転を前記移動部材に伝達するタイミングベルトであることを特徴とする請求項２又は３記載の媒体処理装置。
【請求項５】
前記回転軸と一体に設けられた歯車を有し、
前記伝達機構は、前記歯車の回転を前記移動部材に伝達する歯車列であることを特徴とする請求項２又は３記載の媒体処理装置。
【請求項６】
前記回転軸と一体に設けられたリンクを有し、
前記伝達機構は、前記リンクの回転を前記移動部材に伝達するリンク機構であることを特徴とする請求項２又は３記載の媒体処理装置。
【発明の詳細な説明】
【技術分野】
【０００１】
本発明は、紙幣結束整理装置などの媒体処理装置に関するものである。
【背景技術】
【０００２】
銀行等の金融機関においては、精査時に回収した紙幣を一定枚数毎に束ねて整理する紙幣結束整理装置が導入されている。従来の紙幣結束整理装置は、オペレータが紙幣の束を分離取込部にセットすると当該紙幣の束を最下層から一枚毎に分離する下分離方式が採用されている。下分離方式は、紙幣の束の分離性能を補助するために最上層から紙幣の束を押圧するバックアップ機構を設けるものが一般的である。バックアップ機構は、紙幣取込中に自重のみで紙幣の束を押圧し、分離を補助している。
【０００３】
図９は従来の紙幣結束整理装置の分離取込部を示す説明図である。図９（ａ）はバックアップ８２が上端位置にある状態を示し、図９（ｂ）はバックアップが下端位置にある状態を示す。紙幣Ｐの束は、バックアップ８２が上端位置にあるとき、オペレータによって分離取込部８０の紙幣分離部８１の上に載置される。バックアップ８２は左右両側に垂直に設けられたガイドシャフト８３−１及び８３−２に沿って上下動可能に支持される。即ち、ガイドシャフト８３−１及び８３−２には支持部８７−１及び８７−２が設けられ、支持部８７−１及び８７−２はバックアップ８２を左右から支持する。そして、左右の支持部８７−１及び８７−２は、左右のカムリンク８４−１及び８４−２の先端によってそれぞれ支持されている。
【０００４】
左右のカムリンク８４−１及び８４−２は、固定端としてのリンク中心８８を中心に上下に揺動可能である。左右のカムリンク８４−１及び８４−２のうち一方のカムリンク８４−１の下側は、モータ８５の駆動によって回転するカムフォロア８６と係合する。これらの構造によって、バックアップ８２はカムフォロア８６の回転によって上昇し、バックアップ８２の自重によって下降する。
【０００５】
図１０は従来の紙幣結束整理装置の分離取込部の動作を示す説明図である。図１０（ａ）はバックアップ８２が上端位置にある状態を示し、図１０（ｂ）はバックアップ８２が下降途中の位置にある状態を示し、図１０（ｃ）はバックアップ８２が下端位置にある状態を示す。図１０（ａ）に示すように、バックアップ８２が上端位置にあるとき、オペレータによって紙幣Ｐの束が分離取込部８０の紙幣分離部８１の上に載置される。その後、図示しないピックアップローラによって紙幣Ｐの束を最下層から一枚毎に矢印Ｄ方向に分離することにより、紙幣Ｐを紙幣結束整理装置の内部に取り込む。紙幣分離部８１の上の紙幣Ｐの束が徐々に減少することにより、バックアップ８２は自重により下降する。バックアップ８２の下降によりカムリンク８４−１は矢印Ｆ方向に移動する。
【０００６】
一方、モータ８５は徐々に回転することによりカムフォロア８６を矢印Ｂ方向に回転させる。カムフォロア８６の回転により図１０（ｂ）に示すようにカムリンク８４−１がリンク中心８８を中心として矢印Ｆ方向に移動することを許容する。そして、紙幣分離部８１の上に載置された紙幣Ｐがなくなることにより、バックアップ８２は図１０（ｃ）に示すように下端位置である紙幣分離部８１の上に到達する。その後、バックアップ８２を上昇させるため、モータ８５は更に同じ方向に回転する。これによりカムフォロア８６を矢印Ｂ方向に回転させ、カムフォロア８６はカムリンク８４−１を下側から押し上げる。こうしてバックアップ８２を上昇させ図１０（ａ）に示す上端位置に移動させることになる。
【０００７】
このような紙幣結束整理装置では、取込中の紙幣Ｐの束が全て取り込まれる前に、オペレータが追加として別の紙幣の束を既に載置されている紙幣の束の上に追加する「追加投入」という操作を行うことがある。例えば図１０（ｂ）に示すようにバックアップ８２が下降途中の位置にある状態において、追加投入を行う場合である。この追加投入をいつでも行えるようにするため、カムリンク８４−１はカムフォロア８６の上側に位置するように係合している。これにより、バックアップ８２は、取込中に手動にて上方へ引き上げることが可能な構造になっている。
【０００８】
なお、特開２００２−１５０３５６号公報（特許文献１）には紙幣収納部の前面の扉を開いて紙幣収納部から集積紙幣を取り出すとき、紙幣収納部内の押えプレートが邪魔にならないようにした紙幣処理装置が記載されている。特許文献１によれば、扉が開かれたときにこれに連動して押えプレートを所定の位置まで引き上げるようにした構造になっている。
【先行技術文献】
【特許文献】
【０００９】
【特許文献１】特開２００２−１５０３５６号公報
【発明の概要】
【発明が解決しようとする課題】
【００１０】
しかしながら、図示した従来の技術によれば、下分離方式に伴って紙幣Ｐの分離音が発生するという問題があった。そのため、騒音対策として分離取込部８０にカバーを設けることが考えられるが、オペレータによる追加投入の操作性を考慮すると困難な点があった。即ち、オペレータによる追加投入の操作において、オペレータは片手に投入する紙幣の束をもっているため、もう一方の手でカバーの開放と、バックアップ８２の持ち上げをしなければならないというオペレータにとっての負担が発生していた。
【００１１】
本発明が解決しようとする課題は、分離音に伴う騒音を少なくし、かつオペレータにとって負担の少ない追加投入の操作を可能にした紙幣結束整理装置を提供することを可能とするものである。
【課題を解決するための手段】
【００１２】
上記課題を解決するために本発明に関する媒体処理装置は、媒体束の下から媒体を分離し、装置内部に取込む分離取込部を有する媒体処理装置において、前記媒体束の上から前記媒体束を押圧することによって前記分離取込部の分離動作を補助する分離補助機構と、前記分離補助機構を上下動可能に支持する支持部材と、前記支持部材をそれぞれ動作することにより、前記分離補助機構を最下位置と最上位置の間を移動させる移動部材と、前記分離取込部を開閉可能に覆うカバー部を有し、前記移動部材は前記カバー部の開閉に連動して動作する構造としたことを特徴とするものである。
【発明の効果】
【００１３】
上記構成を有する本発明によれば、前記分離取込部を開閉可能に覆うカバー部を有し、移動部材としてのカムフォロアはカバー部の開閉に連動して動作するようにし、カバー部の開動作に連動して分離補助機構としてのバックアップ部を上端位置へ移動可能としたので、分離音に伴う騒音を少なくし、かつオペレータにとって負担の少ない追加投入を可能にした紙幣結束整理装置を提供することが可能になる。
【図面の簡単な説明】
【００１４】
【図１】第１の実施の形態に関する紙幣結束整理装置の分離取込部の正面側を示す一部切欠斜視図である。
【図２】第１の実施の形態に関する紙幣結束整理装置の外観図である。
【図３】第１の実施の形態に関する紙幣結束整理装置の概略構成図である。
【図４】第１の実施の形態に関する紙幣結束整理装置の分離取込部の正面側を示す斜視図である。
【図５】第１の実施の形態に関する紙幣結束整理装置の分離取込部の背面側を示す斜視図である。
【図６】第１の実施の形態に関する紙幣結束整理装置の分離取込部の動作を示す説明図である。
【図７】第１の実施の形態に関する紙幣結束整理装置の分離取込部の動作を示す説明図である。
【図８】第２の実施の形態に関する紙幣結束整理装置の分離取込部の側面側を示す説明図である。
【図９】従来の紙幣結束整理装置の分離取込部を示す説明図である。
【図１０】従来の紙幣結束整理装置の分離取込部の動作を示す説明図である。
【発明を実施するための形態】
【００１５】
（第１の実施の形態）
以下、本発明の第１の実施の形態について説明する。図２は第１の実施の形態に関する紙幣結束整理装置の外観図である。媒体処理装置としての紙幣結束整理装置１００は銀行等の金融機関において、精査時に回収した媒体としての紙幣を一定枚数毎に結束する。紙幣結束整理装置１００の正面（矢印Ａ方向）には紙幣Ｐを取り込むための分離取込部１０を有する。分離取込部１０には後述する取込部カバー１を有するが、同図では図示を省略してある。分離取込部１０は、オペレータによって載置された紙幣Ｐを一枚毎に装置内部へ取り込む。また、紙幣結束整理装置１００の上面には、操作部２１及び操作表示部２２が設けられる。操作部２１は紙幣の取込みを指示する図示しない取込開始ボタン、計数及び結束処理の完了を表示する図示しない完了ランプ及び装置の障害復旧時に装置を再稼働させるための図示しないリセットボタンを有する。操作表示部２２は、液晶ディスプレイ及びタッチパネルによって構成されている。オペレータは操作表示部２２を操作して、モードの指定及び集積順序等を設定する。更に、操作表示部２２は後述する鑑別部２７で鑑別された紙幣の金種、正損及び計数結果等を表示する。
【００１６】
更に、紙幣結束整理装置１００の上面には、オープンポケット２３及びリジェクトポケット２４が設けられる。オープンポケット２３には例えば結束対象外の金種の紙幣が排出される。またリジェクトポケット２４には、後述する鑑別部２７でリジェクト紙幣として鑑別された紙幣が集積される。更に、紙幣結束整理装置１００の正面には、結束紙幣放出口２５が設けられる。結束紙幣放出口２５は、後述する紙幣結束機構３１により結束された結束紙幣３２を放出させる開口であり、結束紙幣３２はオペレータによって取り出しが可能となる。
【００１７】
図３は、第１の実施の形態に関する紙幣結束整理装置の概略構成図である。分離取込部１０には、本実施の形態に関する取込部カバー１が矢印Ｂ方向に開閉可能に設けられている。分離取込部１０は、オペレータにより紙幣Ｐの束が分離取込部１０に載置されると当該紙幣Ｐを最下層から一枚毎に分離する下分離方式が採用されている。紙幣Ｐの束の上部には紙幣Ｐの束の分離性能を補助するために紙幣Ｐの束を最上層から押圧する分離補助機構としてのバックアップ２が設けられる。一枚毎に分離された紙幣Ｐは、装置内部に取り込まれ、搬送路２６によって鑑別部２７等の各部へ搬送される。鑑別部２７は分離取込部１０から搬送された紙幣Ｐの真偽、金種、正損及び表裏等の判別及び計数を行う。オープンポケット２３及びリジェクトポケット２４は鑑別部２７の後段に設けられ、リジェクト紙幣等を排出する。
【００１８】
表裏反転部２８は更に後段に設けられ、後述する制御部４０の制御により紙幣Ｐの表裏反転を行う。集積機構２９は、金種ごとに複数の一時集積部２９ａ〜２９ｅが垂直方向に並んで設けられ、鑑別部２７による金種鑑別に従って、紙幣Ｐを一旦集積する。移送機構３０は一時集積部２９ａ〜２９ｅの後方に垂直方向に移動可能に設けられ、制御部４０の制御により、一時集積部２９ａ〜２９ｅから所定枚数集積された紙幣Ｐの束を紙幣結束機構３１へ移送する。紙幣結束機構３１では、制御部４０の制御により紙幣Ｐの束を結束し、結束紙幣３２として結束紙幣放出口２５へ放出する。制御部４０は紙幣結束整理装置１００内の各部を制御する。そして、記憶部４１は制御部４０の制御に必要なプログラム及び各種データを記憶する。
【００１９】
図４は第１の実施の形態に関する紙幣結束整理装置の分離取込部の正面側を示す斜視図である。図１は図４の一部切欠斜視図であり、図４に示す分離取込部１０の後部板１０−１及び取込部カバー１の一部を切り欠いて示す。図５は第１の実施の形態に関する紙幣結束整理装置の分離取込部の背面側を示す斜視図である。図１及び図４はバックアップ２が下端位置にある状態を示し、図５はバックアップが上端位置にある状態を示す。また矢印Ａは正面方向を示す。
【００２０】
分離取込部１０の中央には紙幣Ｐの束を載置する後述する紙幣分離部１１が設けられる。分離取込部１０の後面には、載置された紙幣Ｐの後部を支持する後部板１０−１が設けられる。分離取込部１０の左右両側にはガイドシャフト３−１及び３−２が垂直に設けられる。ガイドシャフト３−１及び３−２には支持部７−１及び７−２が設けられ、支持部７−１及び７−２はバックアップ２を左右から支持する。従って、バックアップ２はガイドシャフト３−１及び３−２に沿って上下動可能に支持されている。そして、支持部７−１及び７−２は、左右の支持部材としてのカムリンク４−１及び４−２の先端に支持されている。左右のカムリンク４−１及び４−２は、固定端としてのリンク中心８を中心に上下に揺動可能である。従って、カムリンク４−１及び４−２は、バックアップ２を上下動可能に支持することになる。
【００２１】
左右のカムリンク４−１及び４−２のうち一方のカムリンク４−１の下側は、モータ５の駆動によって回転する移動部材としてのモータ駆動カムフォロア６−１と係合する。よって、モータ５の回転によって、移動部材としてのモータ駆動カムフォロア６−１が回転され、カムリンク４−１が駆動されることによりバックアップ２が上昇する。また他方のカムリンク４−２の下側は、後述するように取込部カバー１の開閉と連動する移動部材としてのカバー連動カムフォロア６−２と係合する。よって、取込部カバー１の開動作によって、移動部材としてのカバー連動カムフォロア６−２が回転され、カムリンク４−２が駆動されることによりバックアップ２が上昇する。従って、モータ駆動カムフォロア６−１及びカバー連動カムフォロア６−２は、左右のカムリンク４−１又は４−２をそれぞれ動作することにより、バックアップ２を最下位置から最上位置の間を移動させることになる。
【００２２】
取込部カバー１は逆Ｌ字型に形成され、上辺及び左右側辺は紙幣結束整理装置１００の筐体に対し密閉することにより、分離取込部１０の分離音に伴う騒音の漏れを少なくする。更に、取込部カバー１の下辺は回転軸が設けられ、取込部カバー１は分離取込部１０を開閉可能に覆うことになる。後述する下辺の回転軸１−１（図６参照）は水平に設けられた大プーリ１２と一体に設けられる。即ち、取込部カバー１が９０度開放されると、回転軸１−１も９０度回転し、大プーリ１２も９０度回転する。大プーリ１２の回転はタイミングベルト１４を介して小プーリ１３に伝達される。小プーリ１３には同軸でカバー連動カムフォロア６−２が設けられている。
【００２３】
即ち、取込部カバー１の開閉動作は、大プーリ１２に伝達され、大プーリ１２の回転は小プーリ１３に伝達され、そしてカバー連動カムフォロア６−２に連動して伝達される構成となる。よって、取込部カバー１の開動作によって、カバー連動カムフォロア６−２が駆動され、カムリンク４−２が駆動されることによりバックアップ２が上昇する。即ち、カバー連動カムフォロア６−２は取込部カバー１の開閉に連動して動作するという構造である。
なお、バックアップ２は自重により下降する。この構造によって、バックアップ２はモータ駆動カムフォロア６−１又はカバー連動カムフォロア６−２の回転によって上昇し、バックアップ２の自重によって下降する。
【００２４】
図６は第１の実施の形態に関する紙幣結束整理装置の分離取込部の動作を示す説明図である。図６（ａ）はバックアップ２が下端位置に到達した状態を示す。まず、図６（ａ）に示す状態に至るまでの動作を説明する。バックアップ２が上端位置にあるとき、オペレータによって紙幣Ｐの束が、分離取込部１０の紙幣分離部１１の上に載置される。その後、制御部４０の制御により図示しないピックアップローラによって紙幣Ｐの束を最下層から一枚毎に矢印Ｄ方向に分離することにより、紙幣Ｐを紙幣結束整理装置１００の内部に取り込む。紙幣Ｐの束が徐々に減少することにより、バックアップ２は自重により下降する。バックアップ２の下降によりカムリンク４−１及び４−２も下降する。一方、制御部４０の制御によりモータ５は回転し、モータ駆動カムフォロア６−１を回転させる。モータ駆動カムフォロア６−１の回転によりカムリンク４−１がリンク中心８を中心として下降することを許容する。そして、紙幣分離部１１の上に載置された紙幣Ｐがなくなることにより、バックアップ２は図６（ａ）に示すように下端位置に到達する。
【００２５】
なお、モータ駆動カムフォロア６−１の回転によりカムリンク４−１が下降することを許容するとは、カムリンク４−１が徐々に下降するのに合わせてモータ駆動カムフォロア６−１を徐々に回転する場合と、モータ駆動カムフォロア６−１を後述する位置ａまで一気に回転させる場合がある。制御部４０の制御によりモータ５を回転させるのであり、どちらでも適用可能である。
【００２６】
図６（ａ）において、バックアップ２が下端位置に到達した状態とは、即ち、紙幣Ｐが全て矢印Ｄ方向に取り込まれた状態である。このときカムリンク４−２は殆ど伸び切った状態である。この状態のカバー連動カムフォロア６−２の位置を位置ａとする。カバー連動カムフォロア６−２の位置ａは、バックアップ２が下端位置に到達した位置である。なお、同図には図示しないカムリンク４−１及びモータ駆動カムフォロア６−１の位置は、図６（ａ）に示すカムリンク４−２及びカバー連動カムフォロア６−２の位置と同じである。
【００２７】
その後、オペレータは取込部カバー１を矢印Ｂ方向に開放する。取込部カバー１は下辺に設けられた回転軸１−１を中心に回動すると、図６（ｂ）に示すように回転軸１−１と一体に設けられた大プーリ１２も矢印Ｂ方向に回転する。大プーリ１２の回転は、タイミングベルト１４を介して小プーリ１３に伝達される。小プーリ１３が矢印Ｂ方向に回転すると、これと同軸で回転するカバー連動カムフォロア６−２も矢印Ｂ方向に回転し、カムリンク４−２を押し上げる。カムリンク４−２が上方に押し上げられると、カムリンク４−２の先端に設けられたバックアップ２が矢印Ｃ方向に上昇する。図６（ｂ）は取込部カバー１が開放され、かつバックアップ２が上端位置に到達した状態を示す。これにより、オペレータは取込部カバー１の開放と、バックアップ２の上方を片手で同時に行うことができる。なお、この状態のカバー連動カムフォロア６−２の位置を位置ｂとする。カバー連動カムフォロア６−２の位置ｂは、バックアップ２が上端位置に到達する位置である。
【００２８】
その後、オペレータは、新たな紙幣Ｐの束を紙幣分離部１１の上に載置する。そして、図６（ｃ）に示すように取込部カバー１を矢印Ｅ方向に閉じる。すると大プーリ１２も矢印Ｅ方向に回転し、タイミングベルト１４を介して小プーリ１３に伝達される。そして、カバー連動カムフォロア６−２も矢印Ｅ方向に回転し、カバー連動カムフォロア６−２はカムリンク４−２から離れる。しかしながら、バックアップ２が紙幣Ｐの束の最上層から押圧しているので、カムリンク４−１及び４−２は移動しない。この状態で分離取込部１０は制御部４０の制御により紙幣Ｐを一枚毎に矢印Ｄ方向に分離し装置内部に取り込む。図６（ｃ）は分離取込部１０の紙幣Ｐの取込みの状態を示す。この状態のカバー連動カムフォロア６−２の位置は位置ａとなる。
【００２９】
取込部カバー１の開閉状態と、カバー連動カムフォロア６−２の位置関係は次の通りとなる。即ち、オペレータにより取込部カバー１が開放されると、カバー連動カムフォロア６−２は位置ｂとなり、取込部カバー１が閉じられると、カバー連動カムフォロア６−２は位置ａとなる。カバー連動カムフォロア６−２が位置ｂになるということは、図６（ｂ）に示すようにバックアップ２が上端位置に押し上げられた状態である。一方、カバー連動カムフォロア６−２が位置ａになるということは、図６（ａ）又は図６（ｃ）に示すように紙幣Ｐの量に従ってバックアップ２が自重により下端位置若しくは上端位置又はその中間位置になることである。
【００３０】
また、取込部カバー１を開放したとき、カバー連動カムフォロア６−２とバックアップ２の位置関係は図６（ｂ）に図示の通りであるが、モータ駆動カムフォロア６−１とバックアップ２の関係は図７に図示の通りである。即ち、図７は第１の実施の形態に関する紙幣結束整理装置の分離取込部の動作を示す説明図である。取込部カバー１を開放したとき、前述の通りバックアップ２は上端位置にある。バックアップ２を駆動するためのもう一方のモータ駆動カムフォロア６−１は、図７に示すように位置ａにある。そのため、モータ駆動カムフォロア６−１は、カムリンク４−１とは離隔していることになる。
【００３１】
次に本実施の形態に関する追加投入の動作について説明する。前述の通り追加投入とは、取込中の紙幣Ｐの束が全て取り込まれる前に、オペレータが追加として別の紙幣Ｐの束を既に載置されている紙幣Ｐの束の上に追加する操作のことである。例えば図６（ｃ）に示す状態の後、紙幣Ｐが約半分取り込まれた段階で追加投入の操作があったとする。取込部カバー１は閉じた状態で、カバー連動カムフォロア６−２は位置ａの位置にあり、カムリンク４−２は下降しているがカバー連動カムフォロア６−２とは接していないとする。
【００３２】
その状態でオペレータは追加投入をするため取込部カバー１を開放する。すると図６（ｂ）に示すように、カバー連動カムフォロア６−２は位置ｂへと回転し、カムリンク４−２は上方に押し上げられ、バックアップ２は上端位置へ移動する。従って、オペレータは追加として別の紙幣Ｐの束を既に載置されている紙幣Ｐの束の上に追加することができる。
【００３３】
ここで、バックアップ２を下端位置から上端位置へ移動させるために、カバー連動カムフォロア６−２の回転角度は、本実施の形態では位置ａから位置ｂまでの約１３０度である。一方、これを回転させるための取込部カバー１の回転角度は約９０度である。取込部カバー１の開放動作によって、バックアップ２を下端位置から上端位置へ移動させるために、大プーリ１２と小プーリ１３の歯数比は、おおよそ次の通りである。
大プーリ：小プーリ＝１３０：９０  
例えば、大プーリ１２が３２歯、小プーリ１３が２２歯とする必要がある。これにより、取込部カバー１を９０度開放することにより、バックアップ２を下端位置から上端位置へ移動させることができる。
【００３４】
以上の通り、第１の実施の形態によれば、取込部カバー１を開放することで、バックアップ２は上端位置へ移動し、取込部カバー１を閉じることでバックアップ２を下端位置へ移動させることができる。これにより、追加投入時に、取込部カバー１を開放するだけで、バックアップが上端位置に移動するので、追加投入の操作性を損なうことなく、騒音を低減することができる。
【００３５】
（第２の実施の形態）
図８は第２の実施の形態に関する紙幣結束整理装置の分離取込部の側面側を示す説明図である。前記第１の実施の形態においては、取込部カバー１の開閉動作を大プーリ１２からタイミングベルト１４を介して小プーリ１３に伝達する伝達機構とした。第２の実施の形態では、タイミングベルト１４の替りの伝達機構として歯車列によってもよいことを示す。
【００３６】
即ち、取込部カバー１は逆Ｌ字型に形成され、上辺及び左右側辺は紙幣結束整理装置１００の筐体に対し開閉可能に密着することにより、分離音に伴う騒音の漏れを少なくする。更に、取込部カバー１の下辺は回転軸１−１が設けられる。下辺の回転軸１−１は水平に設けられた第１歯車５１と一体に設けられる。取込部カバー１が９０度開放されると、回転軸１−１も９０度回転し、第１歯車５１も９０度回転する。第１歯車５１は、歯車列としての第２歯車５２、第３歯車５３、第４歯車５４及び第５歯車５５と歯合する。第１歯車５１の回転はこれらの歯車列５１〜５４によって第５歯車５５に伝達される。第５歯車５５には同軸で移動部材としてのカバー連動カムフォロア６−２が設けられている。
【００３７】
即ち、取込部カバー１の開閉動作は、第１歯車５１の回転に伝達され、第１歯車５１の回転は第２歯車５２、第３歯車５３、第４歯車５４及び第５歯車５５に伝達され、そしてカバー連動カムフォロア６−２に伝達される構成となる。よって、取込部カバー１の開動作によって、カバー連動カムフォロア６−２が駆動され、支持部材としてのカムリンク４−２が駆動されることによりバックアップ２が上昇する。
【００３８】
（第３の実施の形態）
前記第２の実施の形態においては、取込部カバー１の開閉動作を第１歯車５１から歯車列５２〜５５に伝達する構成とした。第３の実施の形態は、歯車列の替りにリンク機構による構成である。即ち、取込部カバー１の下辺の回転軸１−１と一体のリンクを有し、リンクの回転運動をバックアップ２の往復運動に変換するリンク機構である。
【００３９】
上記実施の形態の説明において、移動部材としてのモータ駆動カムフォロア６−１及びカバー連動カムフォロア６−２を説明したがこれに限らない。即ち、移動部材としては、単なる円柱状の棒を上下動させる構造又はカムの形状によりカムリンクを上下動させる構造でもよい。
【符号の説明】
【００４０】
１          取込部カバー
２          バックアップ
３          ガイドシャフト
４          カムリンク
６−１      モータ駆動カムフォロア
６−２      カバー連動カムフォロア
１０        分離取込部
１２        大プーリ
１３        小プーリ
１４        タイミングベルト
１００      紙幣結束整理装置
Ｐ          紙幣
【図１】
2015103136.tif 000003
【図２】
2015103136.tif 000004
【図３】
2015103136.tif 000005
【図４】
2015103136.tif 000006
【図５】
2015103136.tif 000007
【図６】
2015103136.tif 000008
【図７】
2015103136.tif 000009
【図８】
2015103136.tif 000010
【図９】
2015103136.tif 000011
【図１０】
2015103136.tif 000012